(57)【要約】【課題】固定部材と開閉部材間に設けられ、固定部材または開閉部材が変形し、固定部材と開閉部材との相対位置関係が変わった場合でも、施錠可能なカンヌキ型施錠装置の提供を課題とする。【解決手段】フェンス（固定部材）１０と、このフェンス１０に対して開閉自在な扉（開閉部材）１１との間に取り付けられ、扉１１の開放を制限するため、扉１１に沿って回動自在に設けられるカンヌキ型施錠装置１である。このカンヌキ型施錠装置１は、フェンス１０側に延びるカンヌキ１２と、このカンヌキ１２にスライド自在に設けられたスライド部材と、フェンス１０に設けられる受け金具１３と、スライド部材１４と受け金具１３とを着脱自在に連結する連結部材１５とを備えている。【選択図】図１
2007262788.tif 000002
【特許請求の範囲】
【請求項１】
固定部材と、前記固定部材に対して開閉自在な開閉部材との間に設けられ、前記開閉部材の開放を制限するカンヌキ型施錠装置において、
前記固定部材又は前記開閉部材の一方に沿って回動自在に設けられ、且つ前記固定部材又は前記開閉部材の他方に延びるカンヌキと、
前記カンヌキにスライド自在に設けられたスライド部材と、
前記固定部材又は前記開閉部材の他方に設けられる受け金具と、
前記スライド部材と前記受け金具とを着脱自在に連結する連結部材と、
を備えたことを特徴とするカンヌキ型施錠装置。
【請求項２】
前記受け金具には、所定の大きさの孔が設けられ、
前記スライド部材には、前記受け金具の前記孔に挿入されて反対側に突出し、且つ前記突出した部分に前記連結部材が着脱自在に取り付けられる取付部が設けられ、
前記連結部材は、前記取付部に取り付けられた状態で、前記孔を通過しない大きさを有することを特徴とする請求項１に記載のカンヌキ型施錠装置。
【請求項３】
前記受け金具が、前記固定部材又は前記開閉部材の他方に沿って回動自在であることを特徴とする請求項１または２に記載のカンヌキ型施錠装置。
【請求項４】
前記固定部材はフェンスであり、前記開閉部材は扉であることを特徴とする請求項１から３の何れかに記載のカンヌキ型施錠装置。
【請求項５】
前記連結部材は、錠前であることを特徴とする請求項１から４の何れかに記載のカンヌキ型施錠装置。
【発明の詳細な説明】
【技術分野】
【０００１】
本発明は、カンヌキ型施錠装置に係り、更に詳細には、フェンスと扉間に設けられ扉の開放を制限する場合などに適用して好適なカンヌキ型施錠装置に関する。
【背景技術】
【０００２】
図８に示すように、例えばフェンス５０に開閉自在に設けられた扉５１の開放を制限するため、カンヌキ型施錠装置５２が多く使用される。
【０００３】
従来のカンヌキ型施錠装置５２は、扉５１に設けられる支持部５３、この支持部５３にスライド自在に設けられるカンヌキ５４、フェンス５０に設けられカンヌキ５４を挿入可能な孔５５ａを有する受け金具５５、カンヌキ５４の受け金具５５から突出した部分に着脱自在に取り付けられる錠前５６を有していた。
【特許文献１】特開平３−２４７８８２号公報
【特許文献２】特開平３−１７６５８０号公報
【特許文献３】特開平４−１８１７３号公報
【発明の開示】
【発明が解決しようとする課題】
【０００４】
しかしながら、従来のカンヌキ型施錠装置５２は、例えばフェンス５０と扉５１との一方又は両方が変形して、フェンス５０と扉５１との相対位置が変化した場合には、カンヌキ５４を受け金具５５の孔５５ａに挿入できず、施錠できなくなるという問題があった。
【０００５】
このような問題は、フェンス５０と扉５１間に設けられるカンヌキ型施錠装置５２に限らず、各種の固定部材と開閉部材との間に設けられるカンヌキ型施錠装置に共通して発生する問題である。
【０００６】
本発明は、このような問題に鑑みなされたもので、固定部材と開閉部材間に設けられ、固定部材または開閉部材が変形し、固定部材と開閉部材との相対位置関係が変わった場合でも、施錠可能なカンヌキ型施錠装置の提供を課題とする。
【課題を解決するための手段】
【０００７】
本発明は、前記課題を解決するため、以下の手段を採用した。
（１）本発明は、
固定部材と前記固定部材に対して開閉自在な開閉部材との間に設けられ、前記開閉部材の開放を制限するカンヌキ型施錠装置において、
前記固定部材又は前記開閉部材の一方に沿って回動自在に設けられ、且つ前記固定部材又は前記開閉部材の他方側に延びるカンヌキと、
前記カンヌキにスライド自在に設けられたスライド部材と、
前記固定部材又は前記開閉部材の他方に設けられる受け金具と、
前記スライド部材と前記受け金具とを着脱自在に連結する連結部材と、
を備えたことを特徴とする。
【０００８】
本発明では、カンヌキを回動させると共にスライド部材をカンヌキ上でスライドさせることにより、スライド部材の位置を広範囲に調整できる。
【０００９】
従って、固定部材と開閉部材との相対位置関係が変化しても、スライド部材の位置を受け金具に追従させて調整できるので、スライド部材と受け金具とを連結部材で確実に連結
して施錠できる。
【００１０】
（２）前記受け金具には、所定の大きさの孔が設けられ、
前記スライド部材には、前記受け金具の前記孔に挿入されて反対側に突出し、且つ前記突出した部分に前記連結部材が着脱自在に取り付けられる取付部が設けられ、
前記連結部材は、前記取付部に取り付けられた状態で、前記孔を通過しない大きさを有することが好ましい。
【００１１】
この構成によれば、取付部を受け金具の孔に挿入し、取付部に連結部材を取り付けるだけでスライド部材と受け金具とを連結できるので、スライド部材と受け金具とを連結するための構成を簡略化できる。
【００１２】
（３）前記受け金具が、前記固定部材又は前記開閉部材の他方に沿って回動自在であることが好ましい。
【００１３】
この構成によれば、受け金具を適宜な角度だけ回転させることにより、受け金具の向きをスライド部材に合わせることができるので、スライド部材と受け金具との連結が容易になる。
【００１４】
（４）前記固定部材としてはフェンスを例示でき、前記開閉部材としては扉を例示できる。
【００１５】
例えば、固定部材と開閉部材がフェンスと扉のように薄肉である場合には、双方が変形しやすい。この場合でも、本発明によれば確実に施錠できる。
【００１６】
（５）前記連結部材としては、錠前を例示できる。この場合には、市販の錠前を連結部材として使用できるので、連結部材を特別に製造する必要がない。
【発明の効果】
【００１７】
本発明によれば、カンヌキが回動可能であり、更にスライド部材をカンヌキ上でスライドできるので、スライド部材の位置を広範囲に調整できる。
【００１８】
従って、固定部材と開閉部材との相対位置関係が変わった場合でも、スライド部材の位置を受け金具に追従させて調整することにより、スライド部材と受け金具とを連結部材で連結して確実に施錠できる。
【発明を実施するための最良の形態】
【００１９】
以下、本発明に係るカンヌキ型施錠装置の実施の形態を、添付した図面に基づいて詳細に説明する。
【００２０】
図１は、本発明に係る実施の形態のカンヌキ型施錠装置１を示す。このカンヌキ型施錠装置１は、固定部材であるフェンス１０と、このフェンス１０に対して開閉自在な開閉部材である扉１１との間に、扉１１の開放を制限するために設けられる。
【００２１】
カンヌキ型施錠装置１は、扉１１に沿って回動自在に設けられ、扉１１の反対側のフェンス１０側まで延びるカンヌキ１２と、フェンス１０に沿って回動自在に設けられる受け金具１３と、カンヌキ１２にスライド自在に設けられたスライド部材１４と、スライド部材１４と受け金具１３とを連結する連結部材としての錠前１５とを備えている。
【００２２】
次に、上記各構成要素について説明する。フェンス１０は、例えば薄肉の網状部材で形
成されている。フェンス１０における受け金具１３が取り付けられる位置の裏側には、補強部材１７が設けられている。また、フェンス１０には、枠部１８が設けられている。
【００２３】
扉１１は、例えばヒンジ（図示せず）などでフェンス１０に開閉自在に取り付けられている。この扉１１は、フェンス１０と同様に薄肉の網状部材で形成されている。扉１１には、枠部１９が設けられている。
【００２４】
また、扉１１のカンヌキ１２が取り付けられる位置の裏側には、補強部材２０が設けられている。この補強部材２０には、図２に示すように、扉１１側に配置された回動部材２３が、ボルト２１及び二重ナット２２，２２で回動自在に取り付けられている。この回動部材２３の外周面２３ａに、上記カンヌキ１２の一端部が固定されている。
【００２５】
これにより、カンヌキ１２は、回動部材２３を中心として時計回転方向と反時計回転方向の両方に回転可能である。なお、カンヌキ１２は、一方向にのみ回転可能に支持することもできる。
【００２６】
カンヌキ１２は、その断面が円形に形成されている。また、図１に示すように、カンヌキ１２の先端には、スライド部材１４の抜け止め用として、カンヌキ１２の直径より大径の抜け止め部材２４が設けられている。
【００２７】
受け金具１３は、図３に示すように、所定の大きさの孔１３ａを有するリング部２５と、このリング部２５の直線部分２５ａに設けられた軸部２６とを有している。軸部２６の先端部には、ネジ２６ａが設けられている。
【００２８】
受け金具１３の軸部２６は、フェンス１０及び補強部材１７を貫通して補強部材１７のの裏側に突出している。軸部２６のネジ２６ａには、二重ナット２７，２７が螺入されている。これにより、リング部２５が、フェンス１０に沿って回動自在に支持されている。
【００２９】
スライド部材１４は、図４に示すように、断面が四角形の移動部３０と、この移動部３０に設けられ断面が四角形の錠前取付部３１とを有している。
【００３０】
移動部３０には、カンヌキ１２の直径より僅かに大きな直径を有する貫通孔３０ａが設けられている。また、錠前取付部３１にも、所定の直径を有する貫通孔３１ａが設けられている。
【００３１】
移動部３０の貫通孔３０ａには、カンヌキ１２がスライド自在に挿入されている。また、錠前取付部３１の貫通孔３１ａには、錠前１５が着脱自在に取り付けられる。
【００３２】
この錠前１５は、図５に示すように、スライド部材１４の錠前取付部３１に取り付けられた状態で、受け金具１３の孔１３ａと対向する部分の最大寸法Ｌ１が、孔１３ａの錠前１５と対向する部分の最大寸法Ｌ２より大きく形成されている。
【００３３】
これにより、錠前１５がスライド部材１４の錠前取付部３１に取り付けられた状態で、孔１３ａを通過しないように構成されている。
【００３４】
なお、本実施形態では、錠前１５として南京錠が使用されているが、これ以外の各種の錠前を使用できる。
【００３５】
次に、このカンヌキ型施錠装置１の作用を説明する。いま、図６に示すように、フェンス１０又は扉１１の一方若しくは両方が変形し、フェンス１０と扉１１との相対位置関係
が変化すると、カンヌキ１２を支持する回動部材２３と、スライド部材１４を連結すべき受け金具１３との相対位置関係も変化する。
【００３６】
この場合には、カンヌキ１２の回転方向の位置を調整すると共に、スライド部材１４をスライドさせて、スライド部材１４の位置を受け金具１３に追従させて調整する。また、受け金具１３の回転方向の位置を調整して、受け金具１３の向きをスライド部材１４に合わせる。
【００３７】
そして、カンヌキ１２を受け金具１３側に回転させて、スライド部材１４の錠前取付部３１を、受け金具１３の孔１３ａに挿入する。次に、図７に示すように、錠前取付部３１に錠前１５を取り付ける。これにより、受け金具１３とスライド部材１４とが連結され、カンヌキ型施錠装置１が施錠される。
【００３８】
このように、本発明のカンヌキ型施錠装置１は、カンヌキ１２が回動部材２３を中心として回動自在であると共に、スライド部材１４がカンヌキ１２上をスライド自在であるので、スライド部材１４の位置を広範囲に調整できる。
【００３９】
従って、フェンス１０と扉１１の相対位置関係が変化しても、スライド部材１４の位置を受け金具１３に追従させて調整することにより、スライド部材１４と受け金具１３とを連結して確実に施錠できる。これにより、扉１１の開放を確実に防止できる。
【００４０】
また、受け金具１３を回転させることにより、孔１３ａの向きをスライド部材１４の錠前取付部３１に合わせて調整できるので、スライド部材１４の取付部３１を孔３１に挿入しやすくなる。
【００４１】
なお、上記実施の形態では、扉１１にカンヌキ１２を設け、フェンス１０に受け金具１３を設けたが、扉１１に受け金具１３を設け、フェンス１０にカンヌキ１２を設けても良い。
【００４２】
また、上記実施の形態では、受け金具１３に孔１３ａを設けると共に、スライド部材１４に孔１３ａの反対側に突出する錠前取付部３１を設け、この錠前取付部３１に錠前１５を取り付けることにより、スライド部材１４と受け金具１３とを連結したが、スライド部材１４と受け金具１３とを連結部材で着脱自在に連結できる構成であれば、任意の構成とすることができる。
【００４３】
更に、上記実施の形態では、本発明をフェンス１０と扉１１間に設けられるカンヌキ型施錠装置に適用した場合について説明したが、本発明は、各種の固定部材と開閉部材の間に設けられる各種のカンヌキ型施錠装置に適用できる。
【図面の簡単な説明】
【００４４】
【図１】本発明の実施の形態に係るカンヌキ型施錠装置を示す図である。
【図２】本発明の実施の形態に係るカンヌキを回動自在に支持する回動部材を示す図であり、図１のＡ−Ａ断面図である。
【図３】本発明の実施の形態に係る受け金具を示す図であり、図１のＢ−Ｂ断面図である。
【図４】本発明の実施の形態に係るスライド部材を示す図であり、図１のＣ−Ｃ断面である。
【図５】本発明の実施の形態に係る受け金具の孔と錠前との関係を示す図であり、図4のＤ−Ｄ断面図である。
【図６】本発明の実施の形態に係るカンヌキ型施錠装置の作用を説明する図であり、スライド部材と受け金具とを連結する直前の状態を示す図である。
【図７】本発明の実施の形態に係るカンヌキ型施錠装置の作用を説明する図であり、スライド部材と受け金具との連結状態を示す図である。
【図８】従来例に係るカンヌキ型施錠装置を示す図である。
【符号の説明】
【００４５】
１  カンヌキ型施錠装置
１０  フェンス
１１  扉
１２  カンヌキ
１３  受け金具
１３ａ  受け金具の孔
１４  スライド部材
１５  錠前（連結部材）
１７  補強部材
１８  枠部
１９  枠部
２０  補強部材
２１  ボルト
２２  ナット
２３  回動部材
２３ａ  回動部材の外周面
２４  抜け止め部材
２５  リング部
２５ａ  直線部分
２６  軸部
２６ａ  ネジ
２７  ナット
３０  移動部
３０ａ  貫通孔
３１  錠前取付部（取付部）
３１ａ  貫通孔
５０  フェンス
５１  扉
５２  カンヌキ型施錠装置
５３  支持部
５４  カンヌキ
５５  受け金具
５５ａ  孔
５６  錠前
【図１】
2007262788.tif 000003
【図２】
2007262788.tif 000004
【図３】
2007262788.tif 000005
【図４】
2007262788.tif 000006
【図５】
2007262788.tif 000007
【図６】
2007262788.tif 000008
【図７】
2007262788.tif 000009
【図８】
2007262788.tif 000010